(57)【特許請求の範囲】
【請求項１】
ＬＴＥ−Ａネットワークの管理デバイスにおいて、デュアル・アンテナＵＥについて、アップリンク伝送に使用されるダウンリンク制御情報を提供する方法であって、
前記デュアル・アンテナＵＥに対してアップリンク伝送方式を決定するステップと、
高レベルの信号によって、前記アップリンク伝送方式が属するアップリンク伝送モードを半静的に構成するステップと、
前記決定されたアップリンク伝送方式に対応するダウンリンク制御情報を生成するステップであって、前記ダウンリンク制御情報は、第１の指示フィールド、第２の指示フィールド、第１の伝送ブロックに対する新データ指示フィールド、および第２の伝送ブロックに対する新データ指示フィールドを含むステップとを含み、
前記決定されたアップリンク伝送方式で伝送ブロック無効化機能が採用されると、前記第１の指示フィールドおよび前記第２の指示フィールドの値によって形成された第１の組み合わせは、２つの伝送ブロックの少なくとも１つの無効化を表すために使用され、前記第１の伝送ブロックに対する前記新データ指示フィールドおよび前記第２の伝送ブロックに対する前記新データ指示フィールドによって形成された組み合わせは、前記２つの伝送ブロックの無効化された伝送ブロックを表すために使用され、
前記方法はさらに、前記生成されたダウンリンク制御情報を前記デュアル・アンテナＵＥに伝送するステップを含む方法。
【請求項２】
前記ダウンリンク制御情報は、前記２つの伝送ブロックの変調符号化モードのそれぞれの冗長バージョンをさらに含み、前記決定されたアップリンク伝送方式において伝送ブロックが無効化されると、前記無効化された伝送ブロックの変調符号化モードの冗長バージョンの少なくとも一部は、無効化されることなく前記伝送ブロックによってマッピングされるチャネル符号化コードワードのプリコーディング行列指示情報を表すために利用されるため、プリコーディング行列指示フィールドが置き換えられる請求項１に記載の方法。
【請求項３】
前記決定されたアップリンク伝送方式で１コードワード再伝送が使用される場合、前記第１の指示フィールドおよび前記第２の指示フィールドの値によって形成された第２の組み合わせが、最後に伝送された２つの伝送ブロックの１つの伝送ブロックの１コードワード再伝送を表すために使用され、前記第１の伝送ブロックに対する前記新データ指示フィールドおよび前記第２の伝送ブロックに対する前記新データ指示フィールドによって形成された組み合わせは、前記２つの伝送ブロックのうち、そこで前記１コードワード再伝送が実施された伝送ブロックを表すために使用される請求項１に記載の方法。
【請求項４】
前記ダウンリンク制御情報は、前記２つの伝送ブロックの変調符号化モードのそれぞれの冗長バージョンをさらに含み、前記２つの伝送ブロックの他方の伝送ブロック、すなわち前記１コードワード再伝送が実施された前記伝送ブロックでない方の変調符号化モードの冗長バージョンの少なくとも一部は、前記１コードワード再伝送が実施された前記伝送ブロックによってマッピングされるチャネル符号化コードワードのプリコーディング行列指示情報を表すために利用されるため、プリコーディング行列指示フィールドが置き換えられる請求項３に記載の方法。
【請求項５】
ＬＴＥ−Ａネットワークの管理デバイスにおいて、マルチ・アンテナＵＥについて、アップリンク伝送に使用されるダウンリンク制御情報を提供する方法であって、
前記マルチ・アンテナＵＥに対してアップリンク伝送方式を決定するステップと、
高レベルの信号によって、前記アップリンク伝送方式が属するアップリンク伝送モードを半静的に構成するステップと、
前記決定されたアップリンク伝送方式に対応するダウンリンク制御情報を生成するステップであって、前記ダウンリンク制御情報は、プリコーディング行列指示フィールドを含み、第１の伝送ブロックに対する新データ指示フィールドおよび第２の伝送ブロックに対する新データ指示フィールドをさらに含むステップとを含み、
前記決定されたアップリンク伝送方式で伝送ブロック無効化機能が採用されると、前記プリコーディング行列指示フィールドの第１の値は、２つの伝送ブロックの少なくとも１つの無効化を表すために使用され、前記第１の伝送ブロックに対する前記新データ指示フィールドおよび前記第２の伝送ブロックに対する前記新データ指示フィールドの組み合わせは、前記２つの伝送ブロックの無効化された伝送ブロックを表すために使用され、
前記ダウンリンク制御情報は、前記２つの伝送ブロックの変調符号化モードのそれぞれの冗長バージョン・フィールドをさらに含み、前記無効化された伝送ブロックの変調符号化モードの冗長バージョン・フィールドは、無効化されることなく前記伝送ブロックによってマッピングされるチャネル符号化コードワードのプリコーディング行列情報を表すために利用され、
前記方法はさらに、前記生成されたダウンリンク制御情報を前記マルチ・アンテナＵＥに伝送するステップを含む方法。
【請求項６】
前記決定されたアップリンク伝送方式で１コードワード再伝送が使用される場合、前記プリコーディング行列指示フィールドの第２の値が、最後に伝送された２つの伝送ブロックの１つの伝送ブロックの１コードワード再伝送を表すために使用され、前記第１の伝送ブロックに対する前記新データ指示フィールドおよび前記第２の伝送ブロックに対する前記新データ指示フィールドによって形成された組み合わせは、前記２つの伝送ブロックのうち、前記１コードワード再伝送がそこで実施された伝送ブロックを表すために使用され、
前記１コードワード再伝送が実施されていない前記伝送ブロックの変調符号化モードの冗長バージョン・フィールドは、前記１コードワード再伝送が実施された伝送ブロックによってマッピングされるチャネル符号化コードワードのプリコーディング行列を表す
請求項５に記載の方法。
【請求項７】
ＬＴＥ−Ａネットワークの管理デバイスにおいて、デュアル・アンテナＵＥについて、アップリンク伝送に使用されるダウンリンク制御情報を提供する方法であって、
前記デュアル・アンテナＵＥに対してアップリンク伝送方式を決定するステップと、
高レベルの信号によって、前記アップリンク伝送方式が属するアップリンク伝送モードを半静的に構成するステップと、
前記決定されたアップリンク伝送方式に対応するダウンリンク制御情報を生成するステップであって、前記アップリンク伝送方式が最大２つのコードワードを用いる閉ループ空間多重化伝送である場合、前記ダウンリンク制御情報は、
リソース・ブロック割り当ておよびホッピング情報フィールド、
伝送ブロック無効化指示フィールド、
ＴＢコードワード・マッピング指示フィールド、
すべての伝送ブロックの変調符号化モードの冗長バージョン・フィールド、
すべての伝送ブロックの新データ指示フィールド、
送信電力制御フィールド、
第１のチャネル符号化コードワードに対応する復調基準信号に対するサイクル・シフト・フィールド、
ＣＱＩ要求フィールド、
ＳＲＳ要求フィールド、
ＣＩＦフィールド、
ＴＤＤのみに対するＵＬインデックス・フィールド、
ＣＲＣフィールド
を含むステップと、
前記生成されたダウンリンク制御情報を前記デュアル・アンテナＵＥに伝送するステップと
を含む方法。
【請求項８】
ＬＴＥ−Ａネットワークの管理デバイスにおいて、マルチ・アンテナＵＥについて、アップリンク伝送に使用されるダウンリンク制御情報を提供する方法であって、
前記マルチ・アンテナＵＥに対してアップリンク伝送方式を決定するステップと、
高レベルの信号によって、前記アップリンク伝送方式が属するアップリンク伝送モードを半静的に構成するステップと、
前記決定されたアップリンク伝送方式に対応するダウンリンク制御情報を生成するステップであって、前記アップリンク伝送方式が最大２つのコードワードを用いる閉ループ空間多重化伝送である場合、前記ダウンリンク制御情報は、
リソース・ブロック割り当ておよびホッピング情報フィールド、
プリコーディング行列指示フィールド、
ＴＢコードワード・マッピング指示フィールド、
すべての伝送ブロックの変調符号化モードの冗長バージョン・フィールド、
すべての伝送ブロックの新データ指示フィールド、
送信電力制御フィールド、
第１のチャネル符号化コードワードに対応する復調基準信号に対するサイクル・シフト・フィールド、
ＣＱＩ要求フィールド、
ＳＲＳ要求フィールド、
ＣＩＦフィールド、
ＴＤＤのみに対するＵＬインデックス・フィールド、
ＣＲＣフィールド
を含むステップと、
前記生成されたダウンリンク制御情報を前記マルチ・アンテナＵＥに伝送するステップと
を含む方法。
【請求項９】
ＬＴＥ−Ａネットワークの管理デバイスにおいて、マルチ・アンテナＵＥについて、アップリンク伝送に使用されるダウンリンク制御情報を提供する方法であって、
前記マルチ・アンテナＵＥに対してアップリンク伝送方式を決定するステップと、
高レベルの信号によって、前記アップリンク伝送方式が属するアップリンク伝送モードを半静的に構成するステップと、
前記決定されたアップリンク伝送方式に対応するダウンリンク制御情報を生成するステップであって、前記アップリンク伝送方式が単一のレイヤーを用いる閉ループ空間多重化伝送である場合、前記ダウンリンク制御情報は、
リソース・ブロック割り当ておよびホッピング情報フィールド、
プリコーディング行列指示フィールド、
すべての伝送ブロックの変調符号化モードの冗長バージョン・フィールド、
すべての伝送ブロックの新データ指示フィールド、
送信電力制御フィールド、
チャネル符号化コードワードに対応する復調基準信号に対するサイクル・シフト・フィールド、
ＣＱＩ要求フィールド、
ＳＲＳ要求フィールド、
ＣＩＦフィールド、
ＴＤＤのみに対するＵＬインデックス・フィールド、
ＣＲＣフィールド
を含むステップと、
前記生成されたダウンリンク制御情報を前記マルチ・アンテナＵＥに伝送するステップと
を含む方法。
【請求項１０】
ＬＴＥ−Ａネットワークの管理デバイスにおいてＵＥのアップリンク伝送を制御する方法であって、
前記ＵＥに対する３つのアップリンク伝送モードを事前に決定するステップであって、前記３つのアップリンク伝送モードは、第１のアップリンク伝送モード、第２のアップリンク伝送モード、および第３のアップリンク伝送モードを含むステップ
を含み、
前記第１のアップリンク伝送モードはシングル・アンテナ・ポートの伝送に対応し、
前記第２のアップリンク伝送モードは、シングル・アンテナ・ポートの伝送または最大２つのコードワードを用いる閉ループ空間多重化伝送に対応し、
前記第３のアップリンク伝送モードは、シングル・アンテナ・ポートの伝送または単一のレイヤーを用いる閉ループ空間多重化伝送に対応し、
前記ＵＥがデュアル・アンテナＵＥである場合、前記ＵＥによって実施される最大２つのコードワードを用いる閉ループ空間多重化伝送に対して提供されるダウンリンク制御情報には、請求項７に記載するようなフォーマットがあり、または
前記ＵＥがデュアル・アンテナＵＥではなくマルチ・アンテナＵＥである場合、前記ＵＥによって実施される最大２つのコードワードを用いる閉ループ空間多重化伝送に対して提供されるダウンリンク制御情報には、請求項８に記載するようなダウンリンク制御情報フォーマットがある
方法。
【請求項１１】
ＬＴＥ−Ａネットワークの管理デバイスにおいて、デュアル・アンテナＵＥについて、アップリンク伝送に使用されるダウンリンク制御情報を提供する第１のデバイスであって、
前記デュアル・アンテナＵＥに対してアップリンク伝送方式を決定するための第１のユニットと、
高レベルの信号によって、前記アップリンク伝送方式が属するアップリンク伝送モードを半静的に構成するための第２のユニットと、
前記決定されたアップリンク伝送方式に対応するダウンリンク制御情報を生成するための第３のユニットであって、前記ダウンリンク制御情報は、第１の指示フィールド、第２の指示フィールド、第１の伝送ブロックに対する新データ指示フィールド、および第２の伝送ブロックに対する新データ指示フィールドを含む第３のユニットとを含み、
前記決定されたアップリンク伝送方式で伝送ブロック無効化機能が採用されると、２つの伝送ブロックの少なくとも１つの無効化は、前記第１の指示フィールドおよび前記第２の指示フィールドの値によって形成された第１の組み合わせによって表され、前記２つの伝送ブロックの無効化された伝送ブロックは、前記第１の伝送ブロックに対する前記新データ指示フィールドおよび前記第２の伝送ブロックに対する前記新データ指示フィールドによって形成された組み合わせによって表され、
前記第１のデバイスはさらに、前記生成されたダウンリンク制御情報を前記デュアル・アンテナＵＥに伝送するための第１の伝送デバイスを含む第１のデバイス。
【請求項１２】
前記ダウンリンク制御情報は、前記２つの伝送ブロックの変調符号化モードのそれぞれの冗長バージョンをさらに含み、前記決定されたアップリンク伝送方式において伝送ブロックが無効化されると、前記無効化された伝送ブロックの変調符号化モードの冗長バージョンの少なくとも一部は、無効化されることなく前記伝送ブロックによってマッピングされるチャネル符号化コードワードのプリコーディング行列指示情報を表すために利用されるため、プリコーディング行列指示フィールドが置き換えられるか、または、
前記決定されたアップリンク伝送方式で１コードワード再伝送が使用される場合、最後に伝送された２つの伝送ブロックの１つの伝送ブロックの１コードワード再伝送は、前記第１の指示フィールドおよび前記第２の指示フィールドの値によって形成された第２の組み合わせによって表され、前記２つの伝送ブロックのうち、そこで前記１コードワード再伝送が実施された伝送ブロックは、前記第１の伝送ブロックに対する前記新データ指示フィールドおよび前記第２の伝送ブロックに対する前記新データ指示フィールドによって形成された組み合わせによって表される
請求項１１に記載の第１のデバイス。
【請求項１３】
前記ダウンリンク制御情報は、前記２つの伝送ブロックの変調符号化モードのそれぞれの冗長なバージョンをさらに含み、前記２つの伝送ブロックの他方の伝送ブロック、すなわち前記１つのコードワード再伝送が実施された前記伝送ブロックでない方の変調符号化モードの冗長バージョンの少なくとも一部は、前記１コードワード再伝送が実施された前記伝送ブロックによってマッピングされるチャネル符号化コードワードのプリコーディング行列指示情報を表すために利用されるため、プリコーディング行列指示フィールドが置き換えられる請求項１２に記載の第１のデバイス。
【請求項１４】
ＬＴＥ−Ａネットワークの管理デバイスにおいて、クアドリ・アンテナＵＥについて、アップリンク伝送に使用されるダウンリンク制御情報を提供する第２のデバイスであって、
前記クアドリ・アンテナＵＥに対してアップリンク伝送方式を決定するための第４のユニットと、
高レベルの信号によって、前記アップリンク伝送方式が属するアップリンク伝送モードを半静的に構成するための第５のユニットと、
前記決定されたアップリンク伝送方式に対応するダウンリンク制御情報を生成するための第６のユニットであって、前記ダウンリンク制御情報は、プリコーディング行列指示フィールドを含み、第１の伝送ブロックに対する新データ指示フィールドおよび第２の伝送ブロックに対する新データ指示フィールドをさらに含む第６のユニットとを含み、
前記決定されたアップリンク伝送方式で伝送ブロック無効化機能が採用されると、２つの伝送ブロックの少なくとも１つの無効化は、前記プリコーディング行列指示フィールドの第１の値によって表され、前記２つの伝送ブロックの無効化された伝送ブロックは、前記第１の伝送ブロックに対する前記新データ指示フィールドおよび前記第２の伝送ブロックに対する前記新データ指示フィールドの組み合わせによって表され、
前記ダウンリンク制御情報は、前記２つの伝送ブロックの変調符号化モードのそれぞれの冗長バージョン・フィールドをさらに含み、ＴＢコードワード・マッピング指示フィールドおよび前記無効化された伝送ブロックの変調符号化モードの冗長バージョン・フィールドは、無効化されることなく伝送ブロックによってマッピングされるチャネル符号化コードワードのプリコーディング行列を協力的に表し、
前記第２のデバイスはさらに、前記生成されたダウンリンク制御情報を前記マルチ・アンテナＵＥに伝送するための第２の伝送デバイスを含む第２のデバイス。
【請求項１５】
前記決定されたアップリンク伝送方式で１コードワード再伝送が使用される場合、最後に伝送された２つの伝送ブロックの１つの伝送ブロックの１コードワード再伝送は、前記プリコーディング行列指示フィールドの第２の値によって表され、最後に伝送された前記２つの伝送ブロックのうち、そこで前記１コードワード再伝送が実施された伝送ブロックは、前記第１の伝送ブロックに対する前記新データ指示フィールドおよび前記第２の伝送ブロックに対する前記新データ指示フィールドによって形成された組み合わせによって表され、
前記１コードワード再伝送が実施されていない前記伝送ブロックの変調符号化モードの冗長バージョン・フィールドは、前記１コードワード再伝送が実施された伝送ブロックによってマッピングされるチャネル符号化コードワードのプリコーディング行列を表す
請求項１４に記載の第２のデバイス。
【発明の詳細な説明】
【技術分野】
【０００１】
本発明は、ＵＥ（ユーザ装置）のアップリンク伝送の制御に関し、より具体的には、ＬＴＥ−Ａネットワークの管理デバイスにおいてアップリンク伝送を制御する方法およびそのデバイスに関する。
【背景技術】
【０００２】
ＬＴＥ−Ａ  Ｒｅｌ−１０でＵＬ  ＳＵ−ＭＩＭＯ、不連続リソース割り当て（ＲＡ）、およびキャリア・アグリゲーション（ＣＡ）の新しい機能をサポートするには、ＵＬ伝送モードを決定する必要があり、ＵＬ許可のためのダウンリンク制御情報フォーマット（ＤＣＩフォーマット）を設計する必要があり、かつ、そこには制御信号オーバヘッドおよびブラインド・デコーディングの複雑さが特に関係している。
【０００３】
最新の標準化会議では、上記の３つの機能について、以下のように意見が一致している。
１．ＤＬ／ＵＬ伝送モードは、独立して構成することができる。
２．不連続ＲＡに関して、
−  周波数ホッピングは、不連続ＰＵＳＣＨリソース割り当てと同時にサポートされない。
−  Ｒｅｌ−８のシングル・クラスタ伝送とＲｅｌ−１０のマルチ・クラスタＰＵＳＣＨ伝送との間の動的切り換えをサポートする。
−  シングル・アンテナ伝送のケースにおいて不連続ＵＬ  ＲＡをサポートするための追加のブラインド・デコーディングはない。
−「不連続ＵＬ  ＲＡをサポートするための追加のブラインド・デコーディングはない」ということは、ＳＵ−ＭＩＭＯが不連続ＵＬ  ＲＡを用いてサポートされている場合、ＳＵ−ＭＩＭＯのケースにも適用される。
３．ＣＡに関して
−  ＣＲＣがＣ−ＲＮＴＩ／ＳＰＳ  Ｃ−ＲＮＴＩによってスクランブルがかけられている場合、ＣＩＦは、共通サーチ・スペース（ｃｏｍｍｏｎ  ｓｅａｒｃｈ  ｓｐａｃｅ）においてＤＣＩフォーマット０、１Ａに含まれない。
−  ＵＥ専用サーチ・スペース（ＵＥ  ｓｐｅｃｉｆｉｃ  ｓｅａｒｃｈ  ｓｐａｃｅ）におけるＤＣＩフォーマット０、１、１Ａ、１Ｂ、１Ｄ、２、２Ａ、２Ｂのクロス・キャリア・スケジューリングは、明示的なＣＩＦによって常にサポートされるべきであり、ＵＥがダウンリンク信号を受信するときに、ＵＬ許可のためのＤＣＩフォーマット０、および制御情報のＤＣＩフォーマットを示すための他のＤＣＩフォーマットが使用される。
４．ＵＬ  ＳＵ−ＭＩＭＯに関して
−  複数のアンテナ・ポート（ＡＰ）を用いたＵＥのＰＵＳＣＨのために、少なくとも２つの新しいＲｅｌ−１０のＵＥ専用のＲＲＣ構成された伝送モード。
−  シングル・アンテナ・ポート・モード。
・  最大２つのトランスポート・ブロック（ＴＢ）をサポートするマルチ・アンテナ・ポート・モード。アンテナ・ポートの数はＵＥの機能に依存する。
・  第３のＲＲＣ構成されたマルチ・アンテナ伝送モードが必要かどうかにかかわらずＦＦＳ。
−  ＰＵＳＣＨに関して、すべてのＲＲＣ構成されたモードに対して同じＤＣＩフォーマットを用いて、構成された伝送方式とシングル・ポート・フォールバック方式との間で動的切り換え。
−  最大２ＴＢに対して２ＮＤＩおよび２Ａ／Ｎが必要である。
−  ＬＴＥ  Ｒｅｌ−８のＤＬ空間多重化のように、ＣＷ（コードワード）とレイヤーのマッピング原理を再利用する。
−  ２−Ｔｘに関して、３ビットのプリコーディング・コードブック（ＣＢ）が指定される。ここで、
ランク１のプリコーディングにはサイズ６のＣＢ。
ランク２（すなわち最大ランク）のプリコーディングには１単位行列。
−  ４−Ｔｘに関して、６ビットのプリコーディング・コードブックが指定される。ここで、
ランク１のプリコーディングにはサイズ２４のＣＢ。
ランク２のプリコーディングにはサイズ１６のＣＢ。
ランク３のプリコーディングにはサイズ１２のＣＢ。
ランク４（すなわち最大ランク）のプリコーディングには１単位行列。
−  その他の関連する課題
動的な非周期ＳＲＳがサポートされる。
ＣＳ分離は、ＤＭ  ＲＳの主な多重化方式である。
ＤＭ  ＲＳの補足的な多重化方式として、スロット間のＯＣＣ分離を使用することができる。ＯＣＣインデックスは暗黙的に得られる。
【発明の概要】
【０００４】
本発明の少なくとも１つの実施形態は、従来技術における技術的問題を理解することから考案されている。具体的には、そのような技術的問題は、特に以下についてさらに設計し決定する必要がある、ＵＬ許可のためのＤＣＩフォーマット設計に直接的に影響する可能性がある。
−  複数のクラスタ（２以上）をサポートするべきかどうか。
−  複数のＴＰＣコマンドを使用して、アンテナ毎／ＣＷ毎（ｐｅｒ−ａｎｔｅｎｎａ／ｐｅｒ−ＣＷ）のＵＬ出力制御をサポートするべきかどうか。
−  明示的な信号方式を介して複数のレイヤーに対する動的なＣＳ構成をサポートするべきかどうか。
−  動的なランク・アダプテーション（ｒａｎｋ  ａｄａｐｔａｔｉｏｎ）をサポートするためにＴＢ（伝送ブロック）無効化機能を実装する方法。
【０００５】
「ＵＬ  ＭＩＭＯの伝送モードおよび信号方式（Ｔｒａｎｓｍｉｓｓｉｏｎ  Ｍｏｄｅｓ  ａｎｄ  Ｓｉｇｎａｌｉｎｇ  ｆｏｒ  ＵＬ  ＭＩＭＯ）」というタイトルが付けられたＲ１−１０２８２６では、表１に示すように、ＵＬ許可のために最新のＤＣＩフォーマットが提供される。
【０００６】
表１では、連続的なＲＡのケースを例として挙げている。
【０００７】
従来技術における上記の技術的問題に関して、本発明の少なくとも１つの実施形態によると、新しいアップリンク伝送モードおよびＵＬ許可ＤＣＩフォーマットが提供される。
【０００８】
【表１】
0005599508.tif 000002
前述した最新の合意が考慮され、また、新しいＤＣＩフォーマットのサイズが最適化される。有利なことに、伝送ブロック無効化方式も提供されるため、動的ランク・アダプテーションおよび１−ＣＷ再伝送がサポートされる。
【０００９】
同様に、構成されたアップリンク伝送モードによると、ＵＥは、共通サーチ・スペースおよびＵＥ専用サーチ・スペースにおいて、限定された数を用いてそのような伝送モードに対応するダウンリンク制御情報フォーマットをブラインド的（ｂｌｉｎｄｌｙ）に検出および探索し、復号されたダウンリンク制御情報に基づいてＵＬ伝送を実施する。
【００１０】
本発明の実施形態によると、デュアル・アンテナＵＥについて、拡張されたＬＴＥネットワークの管理デバイスにおいてアップリンク伝送に使用されるダウンリンク制御情報を提供する方法であって、デュアル・アンテナＵＥに対してアップリンク伝送方式を決定するステップと、高レベルの信号によって、アップリンク伝送方式が属するアップリンク伝送モードを半静的に（ｓｅｍｉ−ｓｔａｔｉｃａｌｌｙ）構成するステップと、決定されたアップリンク伝送方式に対応するダウンリンク制御情報を生成するステップであって、ダウンリンク制御情報は、第１の指示フィールド、第２の指示フィールド、第１の伝送ブロックに対する新データ指示フィールド、および第２の伝送ブロックに対する新データ指示フィールドを含むステップとを含み、決定されたアップリンク伝送方式で伝送ブロック無効化機能が採用されると、２つの伝送ブロックの少なくとも１つの無効化は、第１の指示フィールドおよび第２の指示フィールドの値の第１の組み合わせによって表され、２つの伝送ブロックの無効化された伝送ブロックは、第１の伝送ブロックに対する新データ指示フィールドおよび第２の伝送ブロックに対する新データ指示フィールドによって形成された組み合わせによって表され、さらに、生成されたダウンリンク制御情報をデュアル・アンテナＵＥに伝送するステップを含む方法が提供される。
【００１１】
本発明の別の実施形態によると、マルチ・アンテナＵＥについて、ＬＴＥ−Ａネットワークの管理デバイスにおいてアップリンク伝送に使用されるダウンリンク制御情報を提供する方法であって、マルチ・アンテナＵＥに対してアップリンク伝送方式を決定するステップと、高レベルの信号によって、アップリンク伝送方式が属するアップリンク伝送モードを半静的に構成するステップと、決定されたアップリンク伝送方式に対応するダウンリンク制御情報を生成するステップであって、ダウンリンク制御情報は、プリコーディング行列指示フィールドを含み、第１の伝送ブロックに対する新データ指示フィールド、および第２の伝送ブロックに対する新データ指示フィールドをさらに含むステップとを含み、決定されたアップリンク伝送方式に対して伝送ブロックが無効化されると、２つの伝送ブロックの少なくとも１つの無効化は、プリコーディング行列指示フィールドの第１の値によって表され、２つの伝送ブロックの無効化された伝送ブロックは、第１の伝送ブロックに対する新データ指示フィールドおよび第２の伝送ブロックに対する新データ指示フィールドの組み合わせによって表され、ダウンリンク制御情報は、２つの伝送ブロックの変調符号化モードのそれぞれの冗長バージョン・フィールドをさらに含み、無効化された伝送ブロックの変調符号化モードの冗長バージョン・フィールドは、無効化されることなく伝送ブロックによってマッピングされるチャネル符号化コードワードのプリコーディング行列情報を表すために利用され、さらに、生成されたダウンリンク制御情報をマルチ・アンテナＵＥに伝送するステップを含む方法が提供される。
【００１２】
さらに、プリコーディング行列のより多くのデノテーション（ｄｅｎｏｔａｔｉｏｎ）をサポートするために、ダウンリンク制御情報は、無効化された伝送ブロックの変調符号化モードの冗長バージョン・フィールドを協力的に用いて、無効化されることなく伝送ブロックによってマッピングされるチャネル符号化コードワードのプリコーディング行列情報を表すために、ＴＢコードワード・マッピング指示フィールドをさらに含む。
【００１３】
本発明の別の実施形態によると、デュアル・アンテナＵＥについて、ＬＴＥ−Ａネットワークの管理デバイスにおいてアップリンク伝送に使用されるダウンリンク制御情報を提供する方法であって、デュアル・アンテナＵＥに対してアップリンク伝送方式を決定するステップと、高レベルの信号によって、アップリンク伝送方式が属するアップリンク伝送モードを半静的に構成するステップと、決定されたアップリンク伝送方式に対応するダウンリンク制御情報を生成するステップであって、アップリンク伝送方式が最大２つのコードワードを用いる閉ループ空間多重化伝送である場合、ダウンリンク制御情報は、リソース・ブロック割り当ておよびホッピング情報フィールド、伝送ブロック無効化指示フィールド、ＴＢコードワード・マッピング指示フィールド、すべての伝送ブロックの変調符号化モードの冗長バージョン・フィールド、すべての伝送ブロックの新データ指示フィールド、送信電力制御フィールド、第１のチャネル符号化コードワードに対応する復調基準信号に対するサイクル・シフト・フィールド、ＣＱＩ要求フィールド、ＳＲＳ要求フィールド、ＣＩＦフィールド、ＵＬインデックス（ＴＤＤのみ）フィールド、ＣＲＣフィールドを含みステップと、生成されたダウンリンク制御情報をデュアル・アンテナＵＥに伝送するステップとを含む方法が提供される。
【００１４】
本発明のさらに別の実施形態によると、マルチ・アンテナＵＥについて、ＬＴＥ−Ａネットワークの管理デバイスにおいてアップリンク伝送に使用されるダウンリンク制御情報を提供する方法であって、マルチ・アンテナＵＥに対してアップリンク伝送方式を決定するステップと、高レベルの信号によって、アップリンク伝送方式が属するアップリンク伝送モードを半静的に構成するステップと、決定されたアップリンク伝送方式に対応するダウンリンク制御情報を生成するステップであって、アップリンク伝送方式が最大２つのコードワードを用いる閉ループ空間多重化伝送である場合、ダウンリンク制御情報は、リソース・ブロック割り当ておよびホッピング情報フィールド、プリコーディング行列指示フィールド、ＴＢコードワード・マッピング指示フィールド、すべての伝送ブロックの変調符号化モードの冗長バージョン・フィールド、すべての伝送ブロックの新データ指示フィールド、送信電力制御フィールド、第１のチャネル符号化コードワードに対応する復調基準信号に対するサイクル・シフトのフィールド、ＣＱＩ要求フィールド、ＳＲＳ要求フィールド、ＣＩＦフィールド、ＵＬインデックス（ＴＤＤのみ）フィールド、ＣＲＣフィールドを含むステップと、生成されたダウンリンク制御情報をマルチ・アンテナＵＥに伝送するステップとを含む方法が提供される。
【００１５】
本発明のさらに別の実施形態によると、マルチ・アンテナＵＥについて、ＬＴＥ−Ａネットワークの管理デバイスにおいてアップリンク伝送に使用されるダウンリンク制御情報を提供する方法であって、マルチ・アンテナＵＥに対してアップリンク伝送方式を決定するステップと、高レベルの信号によって、アップリンク伝送方式が属するアップリンク伝送モードを半静的に構成するステップと、決定されたアップリンク伝送方式に対応するダウンリンク制御情報を生成するステップであって、アップリンク伝送方式が単一のレイヤーを用いる閉ループ空間多重化伝送である場合、ダウンリンク制御情報は、リソース・ブロック割り当ておよびホッピング情報フィールド、プリコーディング行列指示フィールド、伝送ブロックの変調符号化モードの冗長バージョン・フィールド、伝送ブロックの新データ指示フィールド、送信電力制御フィールド、チャネル符号化コードワードに対応する復調基準信号に対するサイクル・シフトのフィールド、ＣＱＩ要求フィールド、ＳＲＳ要求フィールド、ＣＩＦフィールド、ＵＬインデックス（ＴＤＤのみ）フィールド、ＣＲＣフィールドを含むステップと、生成されたダウンリンク制御情報をマルチ・アンテナＵＥに伝送するステップとを含む方法が提供される。
【００１６】
本発明のさらに別の実施形態によると、ＬＴＥ−Ａネットワークの管理デバイスにおいてＵＥのアップリンク伝送を制御する方法が提供され、方法は、ＵＥに対する３つのアップリンク伝送モードを事前に決定するステップであって、３つのアップリンク伝送モードは、第１のアップリンク伝送モード、第２のアップリンク伝送モード、および第３のアップリンク伝送モードを含むステップを含み、第１のアップリンク伝送モードはシングル・アンテナ・ポートの伝送に対応し、第２のアップリンク伝送モードは、シングル・アンテナ・ポートの伝送または最大２つのコードワードを用いる閉ループの空間多重化伝送に対応し、第３のアップリンク伝送モードは、シングル・アンテナ・ポートの伝送または単一のレイヤーを用いる閉ループの空間多重化伝送に対応し、ＵＥがデュアル・アンテナＵＥである場合、ＵＥによって実施される最大２つのコードワードを用いる閉ループ空間多重化伝送に対して提供されるダウンリンク制御情報には、前述のようにフォーマットがあり、またはＵＥがデュアル・アンテナＵＥ以外のマルチ・アンテナＵＥである場合、ＵＥによって実施される最大２つのコードワードを用いる閉ループ空間多重化伝送に対して提供されるダウンリンク制御情報には、前述のようにダウンリンク制御情報フォーマットがある。
【００１７】
本発明のさらに別の実施形態によると、デュアル・アンテナＵＥについて、ＬＴＥ−Ａネットワークの管理デバイスにおいてアップリンク伝送に使用されるダウンリンク制御情報を提供する第１のデバイスであって、デュアル・アンテナＵＥに対してアップリンク伝送方式を決定するための第１のユニットと、高レベルの信号によって、アップリンク伝送方式が属するアップリンク伝送モードを半静的に構成するための第２のユニットと、決定されたアップリンク伝送方式に対応するダウンリンク制御情報を生成するための第３のユニットであって、ダウンリンク制御情報は、第１の指示フィールド、第２の指示フィールド、第１の伝送ブロックに対する新データ指示フィールド、および第２の伝送ブロックに対する新データ指示フィールドを含む第３のユニットとを含み、前述した決定されたアップリンク伝送方式で伝送ブロック無効化機能が採用されると、２つの伝送ブロックの少なくとも１つの無効化は、第１の指示フィールドおよび第２の指示フィールドの値の第１の組み合わせによって表され、２つの伝送ブロックの無効化された伝送ブロックは、第１の伝送ブロックに対する新データ指示フィールドおよび第２の伝送ブロックに対する新データ指示フィールドによって形成された組み合わせによって表され、さらに、生成されたダウンリンク制御情報をデュアル・アンテナＵＥに伝送するための第１の伝送デバイスを含む第１のデバイスが提供される。
【００１８】
本発明のさらに別の実施形態によると、クアドリ・アンテナ（ｑｕａｄｒｉ−ａｎｔｅｎｎａ）ＵＥについて、ＬＴＥ−Ａネットワークの管理デバイスにおいてアップリンク伝送に使用されるダウンリンク制御情報を提供する第２のデバイスであって、クアドリ・アンテナＵＥに対してアップリンク伝送方式を決定するための第４のユニットと、高レベルの信号によって、アップリンク伝送方式が属するアップリンク伝送モードを半静的に構成するための第５のユニットと、決定されたアップリンク伝送方式に対応するダウンリンク制御情報を生成するための第６のユニットであって、ダウンリンク制御情報は、プリコーディング行列指示フィールドを含み、第１の伝送ブロックに対する新データ指示フィールドおよび第２の伝送ブロックに対する新データ指示フィールドをさらに含む第６のユニットとを含み、前述した決定されたアップリンク伝送方式で伝送ブロック無効化機能が採用されると、２つの伝送ブロックの少なくとも１つの無効化は、プリコーディング行列指示フィールドの第１の値によって表され、２つの伝送ブロックの無効化された伝送ブロックは、第１の伝送ブロックに対する新データ指示フィールドおよび第２の伝送ブロックに対する新データ指示フィールドの組み合わせによって表され、ダウンリンク制御情報は、２つの伝送ブロックの変調符号化モードのそれぞれの冗長バージョン・フィールドをさらに含み、無効化された伝送ブロックの変調符号化モードの冗長バージョン・フィールドは、無効化されることなく伝送ブロックによってマッピングされるチャネル符号化コードワードのプリコーディング行列を表し、さらに、生成されたダウンリンク制御情報をマルチ・アンテナＵＥに伝送するための第２の伝送デバイスを含む第２のデバイスが提供される。
【００１９】
さらに、プリコーディング行列のより多くのタイプのデノテーションをサポートするために、ダウンリンク制御情報は、無効化された伝送ブロックの変調符号化モードの冗長バージョン・フィールドを協力的に用いて、無効化されることなく伝送ブロックによってマッピングされるチャネル符号化コードワードのプリコーディング行列情報を表すために、ＴＢコードワード・マッピング指示フィールドをさらに含む。
【００２０】
従来技術と比較して、本発明の実施形態によると、デュアル・アンテナおよびクアドリ・アンテナのＵＥおよびより多くのアンテナを用いるシナリオについて、アップリンク許可のためにアップリンク伝送モードおよびダウンリンク制御情報フォーマットが提供され、信号オーバヘッドおよびブラインド・デコーディングの複雑さが効果的に制御される。さらに、伝送ブロック無効化および１コードワード再伝送方式が効果的に実装される。
【００２１】
本発明の機能、態様、および利点は、添付の図面の助けを借りて限定を目的としない実施形態に関する以下の記述を読むことによって、より明白になるだろう。
【図面の簡単な説明】
【００２２】
【図１】本発明の典型的な１つの応用ケースを示す図である。
【図２】本発明の一実施形態による拡張されたＬＴＥネットワークの管理デバイスにおいて、デュアル・アンテナＵＥについて、アップリンク伝送に使用されるダウンリンク制御情報を提供する方法のフローチャートである。
【図３】本発明の一実施形態による拡張されたＬＴＥネットワークの管理デバイスにおいて、マルチ・アンテナＵＥについて、アップリンク伝送に使用されるダウンリンク制御情報を提供する方法のフローチャートである。
【図４】本発明の一実施形態による拡張されたＬＴＥネットワークの管理デバイスにおいて、デュアル・アンテナＵＥについて、アップリンク伝送に使用されるダウンリンク制御情報を提供する第１のデバイスの機能ブロック図である。
【図５】本発明の一実施形態による拡張されたＬＴＥネットワークの管理デバイスにおいて、マルチ・アンテナＵＥについて、アップリンク伝送に使用されるダウンリンク制御情報を提供する第２のデバイスの機能ブロック図である。
【発明を実施するための形態】
【００２３】
図面において、同じまたは類似する参照番号は、同じまたは類似するデバイス（モジュール）または方法のステップを示すものである。
【００２４】
図に示す本発明の方法およびデバイスの少なくとも一実施形態について、以下に詳しく記述する。そのような実施形態は、本発明のすべての態様の説明によって述べられるものであり、本発明を限定するものとして解釈するべきではないことを理解されたい。たとえば、一実施形態として表された、または詳述された機能の部分は、別の実施形態でも使用して、別の実施形態を描写することができる。本発明は、本発明の範囲および精神に当てはまるそのような実施形態および様々な変形形態を包含するものである。
【００２５】
図１は、本発明の少なくとも１つの実施形態の１つの応用ケースを示しており、管理デバイス１１が示されており、たとえばＬＴＥ−Ａネットワークにおいて、以下、基地局１１と呼ばれるｅＮｏｄｅＢが示され、さらに、２つのＵＥが簡潔に示され、ＵＥ１２は２本のアンテナを利用し、デュアル・アンテナＵＥと呼ばれ、ＵＥ１３は４本のアンテナを利用し、クアドリ・アンテナＵＥと呼ばれる。以下、ＵＥ１２および１３の記述に関して、当業者であれば、図示していない他のＵＥおよび管理デバイスに本発明を適用することができる。本発明による方法、それらの実施形態のデバイスについては、図１に示すすべてのネットワーク要素を中心に説明されるだろう。
【００２６】
図２に関して、本発明の一実施形態による拡張されたＬＴＥネットワークの管理デバイスにおいて、デュアル・アンテナＵＥについて、アップリンク伝送に使用されるダウンリンク制御情報を提供する方法のフローチャートを図示する。ステップＳ２００において、具体的には表２に示すように、基地局１１は、デュアル・アンテナＵＥに対して３つのアップリンク伝送方式を決定する。
【００２７】
ＵＬ伝送モード１（ＵＬ  ＴＭ１）は、連続または不連続のＲＡを用いてシングル・アンテナ・ポート方式に対して構成され、１タイプのＤＣＩフォーマットのみ、すなわちＤＣＩフォーマット０が含まれる。ＤＣＩフォーマット０にＣＩＦがない場合、共通サーチ・スペースで割り当てることができる。他の場合には、ＵＥ専用サーチ・スペースで割り当てられる。
【００２８】
【表２】
0005599508.tif 000003
【００２９】
ステップＳ２０１において対応するアップリンク伝送方式を決定した後、ステップＳ２０２では、高レベルの信号によって、アップリンク伝送方式が属するアップリンク伝送モードを半静的に構成し、ステップＳ２０３では、デュアル・アンテナＵＥ１２によって実行される単一ポート伝送のために生成されるダウンリンク制御情報は、０の番号を用いるダウンリンク制御情報のフォーマットを持ち、デュアル・アンテナＵＥ１２は、最大２つのコードワードを用いて閉ループ空間多重化伝送を実施する予定である場合、ステップＳ２０３で生成されたダウンリンク制御情報（ＤＣＩフォーマット０Ｄと記載）のフォーマットは、表３のようになる場合がある。
【００３０】
【表３】
0005599508.tif 000004
【００３１】
表３に示すように、ＤＣＩフォーマット０Ｄは、第１の指示フィールドおよび第２の指示フィールドを含み、これは具体的には、伝送ブロック無効化指示フィールドおよびＴＢコードワード・マッピング指示フィールドによってそれぞれ実装することができ、第１の伝送ブロック、たとえば、ＣＷ０に対する新データ指示フィールドおよび第２の伝送ブロック、たとえば、ＣＷ１に対する新データ指示フィールドをさらに含む。
【００３２】
ここで、決定されたアップリンク伝送方式で伝送ブロック無効化機能が採用されると、２つの伝送ブロックの少なくとも１つの無効化は、伝送ブロック無効化指示フィールドおよびＴＢコードワード・マッピング指示フィールドの値の第１の組み合わせによって表され、２つの伝送ブロックの無効化された伝送ブロックは、第１の伝送ブロックに対する新データ指示フィールドおよび第２の伝送ブロックに対する新データ指示フィールドによって形成された組み合わせによって表される。
【００３３】
また表３に示すように、決定されたアップリンク伝送方式で１コードワード再伝送が使用される場合、最後に伝送された両方の伝送ブロックの１つの伝送ブロックの１コードワード再伝送は、伝送ブロック無効化指示フィールドおよびＴＢコードワード・マッピング指示フィールドの値によって形成された第２の組み合わせによって表され、１コードワード再伝送について、両方の伝送ブロックの伝送ブロックは、第１の伝送ブロックに対する新データ指示フィールドおよび第２の伝送ブロックに対する新データ指示フィールドによって形成された組み合わせによって表される。
【００３４】
さらに、表３に示すように、ＤＣＩフォーマット０Ｄは、２つの伝送ブロックの変調符号化モードのそれぞれの冗長バージョンをさらに含み、２つの伝送ブロックの他方の伝送ブロック、すなわち１コードワード再伝送に対する伝送ブロックでない方の変調符号化モードの冗長バージョンの少なくとも一部は、１コードワード再伝送に対する伝送ブロックによってマッピングされるチャネル符号化コードワードのプリコーディング行列指示情報を表すために利用されるため、プリコーディング行列指示フィールドが置き換えられる。言いかえると、ＤＣＩフォーマット０Ｄでは、ＰＭＩフィールドは不必要な場合がある。
【００３５】
ステップＳ２０４では、生成されたダウンリンク制御情報は、デュアル・アンテナＵＥ１２に伝送される。
【００３６】
図３に関して、本発明の一実施形態による拡張されたＬＴＥネットワークの管理デバイスにおいて、クアドリ・アンテナＵＥについて、アップリンク伝送に使用されるダウンリンク制御情報を提供する方法のフローチャートを図示する。最初に、ステップＳ３００において、表４に示すように、それぞれ第１のアップリンク伝送モード、第２のアップリンク伝送モード、および第３のアップリンク伝送モードという３つのアップリンク伝送モードが事前に決定される。
【００３７】
【表４】
0005599508.tif 000005
【００３８】
ここで、表４では、第１のアップリンク伝送モードは、シングル・アンテナ・ポートの伝送に対応する。第２のアップリンク伝送モードは、シングル・アンテナ・ポートの伝送または最大２つのコードワードを用いる閉ループの空間多重化伝送に対応する。第３のアップリンク伝送モードは、シングル・アンテナ・ポートの伝送または単一のレイヤーを用いる閉ループの空間多重化伝送に対応する。
【００３９】
ここで、ステップＳ３０１で対応する伝送方式を決定した後、ステップＳ３０２では、高レベルの信号によって、アップリンク伝送方式が属するアップリンク伝送モードを半静的に構成する。続いて、ステップＳ３０３では、たとえばクアドリ・アンテナＵＥ１３など、マルチ・アンテナＵＥによって実行される単一ポート伝送のために生成されるダウンリンク制御情報は、０の番号を用いるダウンリンク制御情報のフォーマットを持ち、クアドリ・アンテナＵＥ１３は、最大２つのコードワードを用いて閉ループ空間多重化伝送を実施する予定である場合、ステップＳ３０３で生成されるダウンリンク制御情報のフォーマットは、表３に示すようになる。
【００４０】
ここで、決定されたアップリンク伝送方式で伝送ブロック無効化機能が採用されると、２つの伝送ブロックの少なくとも１つの無効化は、たとえば二進数の３０の値など、プリコーディング行列指示フィールドの第１の値によって表され、２つの伝送ブロックの無効化された伝送ブロックは、第１の伝送ブロックに対する新データ指示フィールドおよび第２の伝送ブロックに対する新データ指示フィールドの組み合わせによって表される。
【００４１】
ダウンリンク制御情報は、ＤＣＩフォーマット０Ｃの形で、ＴＢコードワード・マッピング指示フィールド、および２つの伝送ブロックの変調符号化モードのそれぞれの冗長バージョン・フィールドをさらに含み、無効化された伝送ブロックの変調符号化モードの冗長バージョン・フィールドおよびＴＢコードワード・マッピング指示フィールドは、無効化されることなく伝送ブロックによってマッピングされるチャネル符号化コードワードのプリコーディング行列情報を協力的に表すために利用される。
【００４２】
決定されたアップリンク伝送方式で１コードワード再伝送が使用される場合、最後に伝送された両方の伝送ブロックの１つの伝送ブロックの１コードワード再伝送は、たとえば二進数の３１の値など、プリコーディング行列指示フィールドの第２の値によって表され、最後に伝送された両方の伝送ブロックのうち、そこで１コードワード再伝送が実施された伝送ブロックは、第１の伝送ブロックに対する新データ指示フィールドおよび第２の伝送ブロックに対する新データ指示フィールドによって形成された組み合わせによって表される。
【００４３】
ここで、１コードワード再伝送が実施されていない、伝送ブロックの変調符号化モードの冗長バージョン・フィールドおよびＴＢコードワード・マッピング指示フィールドは、１コードワード再伝送のために伝送ブロックによってマッピングされるチャネル符号化コードワードのプリコーディング行列を協力的に表す。
【００４４】
ステップＳ３０４では、生成されたダウンリンク制御情報は、クアドリ・アンテナＵＥに伝送される。
【００４５】
最適化されたＤＣＩフォーマット０Ｄおよび０Ｃ（異なるサイズを持つ）が、２本のアンテナおよび４本のアンテナのケースに対して設計されており、動的なランク・アダプテーションおよび１−ＣＷ再伝送がサポートされている。ダウンリンク伝送とは違い、アップリンク伝送のクアドリ・アンテナＵＥおよびデュアル・アンテナＵＥのアンテナ構成は、ＵＥの機能に対して高い依存関係を持っている。２−Ｔｘについては、２−ＣＷ伝送のプリコーディングは、最大ランク伝送のために単位行列である。その結果、ＰＭＩフィールドはＤＣＩフォーマット０Ｄには不必要である。一方、４−Ｔｘについては、２−ＣＷ伝送のプリコーディングは、最大ランクではない場合があるため、５から６ビットのＰＭＩが必要である。セクション３に詳しく述べられているように、ＤＣＩフォーマット０Ｃと０Ｄとの間には、少なくとも４ビットのペイロード差がある。
【００４６】
上述のように、本発明の一実施形態によると、異なるサイズを持つ個別のＤＣＩフォーマットを２−Ｔｘおよび４−ＴｘアンテナのＵＥに対して指定することができる（たとえば前述のＤＣＩフォーマット０ＤおよびＤＣＩフォーマット０Ｃ）。
【００４７】
ＵＬ伝送モード３（ＵＬ  ＴＭ３）において、ＤＣＩフォーマット０Ｂは、単一のレイヤー伝送を用いる複数のアンテナ・ポートに対して構成され、これはＵＬ  ＭＵ−ＭＩＭＯおよびビームフォーミングに適用することができる。ＤＣＩフォーマット０Ｂは、１つのＴＢのみに対して情報を示す必要があるため、２−Ｔｘについては、ＤＣＩフォーマット０Ｂと０Ｄとの間に少なくとも５ビットのペイロード差があり、ＤＣＩフォーマット０Ｂと０Ｃとの間には７ビットのペイロード差がある。
【００４８】
本発明の１つの好ましい実施形態によると、単一のレイヤー伝送方式に対する追加のＲＲＣ構成されたＵＬ伝送モードが指定される。つまり、表２〜３のＵＬ  ＴＭ３である。
【００４９】
ＤＣＩフォーマット０は、これらの３つの伝送モードすべてに対して構成されるため、シングル・アンテナ・ポート方式に対する動的なフォールバックがサポートされる。
【００５０】
以下に、上記の様々なＵＬ  ＤＣＩフォーマットについてさらに詳しく記述する。ここでは、背景技術に記述した複数の合意も考慮に入れる。また、以下の記述は、ＤＣＩフォーマットの各フィールドを部分的に対象としている。
【００５１】
ＲＢ（リソース・ブロック）割り当ておよびホッピング情報
不連続ＲＡの場合には、ＤＣＩフォーマット０のホッピング・フラグをＲＢ割り当てに使用することができる。クラスタの数はまだ空きがあるが、次の２つのオプションを代わりに提供することができる場合がある。
方式１：２個のクラスタ（ＤＣＩフォーマット０に合わせたＵＬ  ＤＣＩフォーマットを用いる）
方式２：クラスタの数は信号によって限定されない（構成されたＤＬ  ＤＣＩフォーマットに合わせたＵＬ  ＤＣＩフォーマットを用いる）
【００５２】
本発明の一実施形態によると、上記の方式１について、ＵＬ  ＤＣＩフォーマットＲＡフィールドは、ＲＡの点からＤＣＩフォーマット０に合わせられる。したがって、このＲＡフィールドにおけるビット数は、以下の式から得ることができる。
【００５３】
【数１】
0005599508.tif 000006
【００５４】
ＵＬのアンテナ毎／ＣＷ毎の出力制御
本発明の１つの好ましい実施形態によると、既存のシングルＴＰＣコマンドへの影響なくＵＬの複数のアンテナ・ポートのケースに対するＲｅｌ−８  ＵＬ出力制御の拡張によって、制御信号オーバヘッドは、できるだけ減らされる。
【００５５】
複数のレイヤーに対するＣＳ構成
ＣＳ分離は、ＤＭ  ＲＳの主な多重化方式であるが、ＣＳ構成を事前に定義することができるか、またはＲＲＣ信号により半静的に示すか、または動的に示すことができる。ＣＷ０に対するＰＨＩＣＨリソースおよびＵＬ  ＭＩＭＯのＣＷ１が、関連するＣＳインデックス値によって特定されることが合意される場合、ＰＨＩＣＨリソースの衝突を回避するという見地からパフォーマンスがより高いため、複数のレイヤーに対するＣＳの動的な構成が少し好まれる。
【００５６】
ＤＣＩフォーマット０Ｄに関する一部の専用の定義
１．ＰＭＩフィールドの必要性
ＬＴＥ  Ｒｅｌ−８  ＤＬ空間多重化に対してＴＳ３６．２１１［４］で指定されているように、アンテナ・ポートの数が４である場合のみ、２つのレイヤーにマッピングされた単一ＣＷのケースは適用可能である。同じＣＷからレイヤーへのマッピング原理は、ＬＴＥ−Ａ  Ｒｅｌ−１０  ＵＬ空間多重化に再利用される。２−Ｔｘについては、２つのレイヤーを用いる最大ランク伝送は、２つのＣＷからのみマッピングされる。最大ランク伝送のプリコーディングは、ＴＲ３６．８１４に記述されているように単位行列であることを考えると、最大２−ＴＢに対するＤＣＩフォーマット０ＤのＰＭＩフィールドは不必要である。
【００５７】
２．ＴＢ無効化指示
動的ランク・アダプテーションをサポートするには、最大２−ＴＢに対する新しいＤＣＩフォーマットは、有効化された１−ＴＢのスケジューリングをサポートする必要がある。ＬＴＥ  Ｒｅｌ−８  ＤＬとは違い、ＵＬ  ＭＣＳおよびＲＶは、ＬＴＥ−Ａ  Ｒｅｌ−１０では共同で信号が送られるため、伝送ブロック無効化は、Ｒｅｌ−８  ＤＬ許可のようにＭＣＳ＝０およびＲＶ＝１の特別な組み合わせによって示すことができない。結果的に、本発明の一実施形態によると、そのようなコンテンツの指示のために追加のビットが導入され、これは第１の指示フィールドとして指定することができ、しばしば１ビットを占めることができる。さらに、たった１ＴＢを用いる伝送または再伝送について、有効化されたＴＢは、たとえばＣＷ０など、第１のコードワードに常にマッピングすることができる。これはＬＴＥ  Ｒｅｌ−８  ＤＬのケースに似ている。本発明の一実施形態によると、ＴＢ無効化および１−ＣＷ再伝送機能を区別するために、ＴＢからＣＷへのスワップ・フラグ（Ｓｗａｐ）を使用することができる。たとえば、ＴＢ無効化機能を採用する場合について、以下に基づいて、ＤＣＬフォーマット０Ｄを設計することができる。
ＴＢＤＩ＝０およびＳｗａｐ＝０の場合、２ＴＢの少なくとも１つは無効化されている。さらに、無効化された伝送ブロックが無効化されていることを示すために、それぞれのＴＢに対してＮＤｌを使用することができる。以下に例を挙げる。
（１）第１の伝送ブロックの新データ指示フィールド（ＮＤＩ１）が１に等しい場合、第２の伝送ブロックの新データ指示フィールド（ＮＤＩ２）は０に等しく、ＴＢ１が有効化され、ＴＢ２が無効化されていることを示す。
（２）ＮＤＩ１＝０およびＮＤＩ２＝１の場合、ＴＢ１が無効化されていて、ＴＢ２が有効化されていることを示す。
（３）ＮＤＩ１＝０、ＮＤＩ２＝０、およびＣＱＩ要求＝１／ＳＲＳ要求＝１の場合、両方のＴＢが無効化されていて、非周期的なＣＱＩおよび／または非周期的なＳＲＳが伝送されることを示す。
【００５８】
ここで、有効化されたＴＢは、ＣＷ０に常にマッピングされ、有効化されたＴＢのプリコーディング行列を示すために、無効化されたＴＢに対応するＭＣＳおよびＲＶフィールドから３ビットを使用できるため、有効化された伝送ブロックのプリコーディング行列指示フィールドを機能的に置き換えることができ、残りの２ビットを予約することができる。
【００５９】
３．１−ＣＷの再伝送
ＴＢＤＩ＝ＯおよびＳｗａｐ＝１の場合、最後に伝送された２ＴＢの１つは再送達され、他方のＴＢは終了する。
【００６０】
さらに、どのＴＢが１コードワード再伝送を実施する予定かを示すために、それぞれのＴＢに対してＮＤＩを使用することができる。つまり、
（１）ＮＤＩ１＝０およびＮＤＩ２＝１は、ＴＢ１のみが再送達されることを示す。
（２）ＮＤＩ１＝１およびＮＤＩ２＝０は、ＴＢ２のみが再送達されることを示す。
ここで、１コードワード再伝送のための伝送ブロックは、ＣＷ０に常にマッピングされ、１コードワード再伝送のための伝送ブロックのプリコーディング行列を示すために、終了したＴＢに対応するＭＣＳおよびＲＶフィールドからの３ビットを使用することができ、残りの２ビットが予約される。
【００６１】
ＤＣＩフォーマット０Ｃに関する一部の専用の定義
１．ＰＭＩフィールド
２−ＴＢを用いる空間多重化に対して、伝送ランクは２以上である。ランク２、ランク３、およびランク４に対するプリコーディング行列の総数は２９である。したがって、５ビットのＰＭＩは２−ＴＢ伝送の表現に十分である。しかし、可能性のある新しいコードブックを潜在的にサポートするために６ビットのＰＭＩフィールドを定義することもできる。
【００６２】
２．ＴＢ（伝送ブロック）無効化指示
５ビットのＰＭＩフィールドを使用する場合でさえ、予約のために３つの冗長インデックスがある。そのため、アクティブなＴＢ無効化機能を表すために、１つの予約されたインデックスを使用することができ、別の１つの予約されたインデックスは、１−ＣＷの再伝送機能の採用を示す。以下に例を挙げる。
ＰＭＩインデックスのＩＰＭＩ＝３０の場合、２ＴＢの少なくとも１つは無効化されている。
【００６３】
対応するＴＢが無効化されていることをさらに示すために、それぞれのＴＢに対するＮＤＩを使用することができる。以下に例を挙げる。
（１）ＮＤＩ１＝１およびＮＤＩ２＝０の場合、ＴＢ１が有効化され、ＴＢ２が無効化されていることを示す。
（２）ＮＤＩ１＝０およびＮＤＩ２＝１の場合、ＴＢ１が無効化され、ＴＢ２が有効化されていることを示す。
（３）ＮＤＩ１＝０、ＮＤＩ２＝０、およびＣＱＩ要求＝１／ＳＲＳ要求＝１の場合、両方のＴＢが無効化されていて、非周期的なＣＱＩおよび／または非周期的なＳＲＳが伝送されることを示す。
ここで、有効化されたＴＢ（複数可）は、ＣＷ０に常にマッピングされる。
【００６４】
ＰＭＩフィールドの値が、たとえば３０、３１に設定されている場合、プリコーディング行列とは異なる他の意味が表されることがある。したがって、最大６４のプリコーディング行列を示すことができる、有効化された伝送ブロックのプリコーディング行列を示すために、１ビットのＴＢからＣＷのマッピング指示および無効化されたＴＢに対応する５ビットのＭＣＳおよびＲＶフィールドの組み合わせを使用することができる。
【００６５】
３．１−ＣＷ再伝送指示
たとえば、ＰＭＩインデックスのＩＰＭＩ＝３１の場合（バイナリ・モード）、最後に伝送された２ＴＢの１つが再送達される。１−ＣＷ再伝送を実施する予定のＴＢを示すために、それぞれのＴＢに対してＮＤＩをさらに使用することができる。つまり、
（１）ＮＤＩ１＝０およびＮＤＩ２＝１は、ＴＢ１のみが再送達されることを示す。
（２）ＮＤＩ１＝１およびＮＤＩ２＝０は、ＴＢ２のみが再送達されることを示す。
ここで、１−ＣＷ再伝送に対する伝送ブロックは、ＣＷ０に常にマッピングされる。ＰＭＩフィールドの値が、たとえば３０、３１に設定されている場合、プリコーディング行列と異なる他の意味を表すことができる。したがって、１ビットのＴＢからＣＷのマッピング指示フィールドおよび１−ＣＷ再伝送をロードしていないＴＢの５ビットのＭＣＳならびにＲＶフィールドの組み合わせは、最大６４のプリコーディング行列を示すことができる、１−ＣＷコードワード再伝送に対して有効化された伝送ブロックのプリコーディング行列を示すために使用することができる。
【００６６】
ＤＣＩフォーマット０Ｂに関する一部の専用定義
ＤＣＩフォーマット０Ｂは、２本のアンテナおよび４本のアンテナのＵＥに対して設計することができ、これについてコンテンツは表５に示している。また、ＤＣＩフォーマット０Ｄおよび０Ｃと異なり、第２のＣＷに対するＤＭ  ＲＳのＣＳフィールドに加えて、ＴＢからＣＷへのスワップ、ＭＣＳおよびＲＶのフィールドは、ＤＣＩフォーマット０Ｂでは省略することができる。２−Ｔｘに対する単一のレイヤー伝送に対して６つのプリコーディング・ベクトルおよび４−Ｔｘに対して２４のプリコーディング・ベクトルがあるため、ＰＭＩフィールドは、２−Ｔｘに対して３ビットおよび４−Ｔｘに対して５ビットをそれぞれ持つように設計することができる。
【００６７】
【表５】
0005599508.tif 000007
【００６８】
図４に関して、拡張されたＬＴＥネットワークの管理デバイスにおいて、デュアル・アンテナＵＥについて、アップリンク伝送に使用されるダウンリンク制御情報を提供する第１のデバイス４の機能ブロック図が示されており、第１のデバイス４は、一般的に、図１に示す基地局１１に位置し、
デュアル・アンテナＵＥに対してアップリンク伝送方式を決定するための第１のユニット４１であって、これは図２に示すステップＳ２０１に対応する第１のユニット４１と、
高レベルの信号によって、アップリンク伝送方式が属するアップリンク伝送モードを半静的に構成するための第２のユニット４２であって、これは図２に示すステップＳ２０２に対応する第２のユニット４２と、
決定されたアップリンク伝送方式に対応するダウンリンク制御情報を生成するための第３のユニット４３であって、ダウンリンク制御情報は、第１の指示フィールド、第２の指示フィールド、第１の伝送ブロックに対する新データ指示フィールド、および第２の伝送ブロックに対する新データ指示フィールドを含み、これは図２に示すステップＳ２０３に対応する第３のユニット４３と、
ここで、決定されたアップリンク伝送方式で伝送ブロック無効化機能が採用されると、２つの伝送ブロックの少なくとも１つの無効化は、第１の指示フィールドおよび第２の指示フィールドの値の第１の組み合わせによって表され、２つの伝送ブロックの無効化された伝送ブロックは、第１の伝送ブロックに対する新データ指示フィールドおよび第２の伝送ブロックに対する新データ指示フィールドによって形成された組み合わせによって表され、
生成されたダウンリンク制御情報をデュアル・アンテナＵＥに伝送するための第１の伝送デバイス４４であって、これは図２に示すステップＳ２０４に対応する第１の伝送デバイス４４と
を含む。
【００６９】
さらに、ダウンリンク制御情報は、２つの伝送ブロックの変調符号化モードのそれぞれの冗長バージョンをさらに含み、決定されたアップリンク伝送方式において伝送ブロックが無効化されると、無効化された伝送ブロックの変調符号化モードに対する冗長バージョンの少なくとも一部は、無効化されることなく伝送ブロックによってマッピングされるチャネル符号化コードワードのプリコーディング行列指示情報を表すために利用されるため、プリコーディング行列指示フィールドが置き換えられるか、または、
決定されたアップリンク伝送方式で１コードワード再伝送が使用される場合、最後に伝送された両方の伝送ブロックの１つの伝送ブロックの１コードワード再伝送は、第１の指示フィールドおよび第２の指示フィールドの値によって形成された第２の組み合わせによって表され、１コードワード再伝送について、両方の伝送ブロックの伝送ブロックは、第１の伝送ブロックに対する新データ指示フィールドおよび第２の伝送ブロックに対する新データ指示フィールドによって形成された組み合わせによって表される。
【００７０】
さらに、ダウンリンク制御情報は、２つの伝送ブロックの変調符号化モードに対するそれぞれの冗長バージョンをさらに含み、２つの伝送ブロックの他方の伝送ブロック、すなわち１コードワード再伝送に対する伝送ブロックでない方の変調符号化モードに対する冗長バージョンの少なくとも一部は、１コードワード再伝送に対する伝送ブロックによってマッピングされるチャネル符号化コードワードのプリコーディング行列指示情報を表すために利用されるため、プリコーディング行列指示フィールドが置き換えられる。
【００７１】
図５に関して、拡張されたＬＴＥネットワークの管理デバイスにおいて、クアドリ・アンテナＵＥについて、アップリンク伝送に使用されるダウンリンク制御情報を提供する第２のデバイス５の機能ブロック図が示されており、第２のデバイス５は、一般的に、基地局１１に位置し、
図３に示すステップＳ３０１に対応するクアドリ・アンテナＵＥのアップリンク伝送方式を決定するための第４のユニット５１と、
高レベルの信号によって、アップリンク伝送方式が属するアップリンク伝送モードを半静的に構成するための第５のユニット５２であって、これは図３に示すステップＳ３０２に対応する第５のユニット５２と、
決定されたアップリンク伝送方式に対応するダウンリンク制御情報を生成するための第６のユニット５３であって、ダウンリンク制御情報は、プリコーディング行列指示フィールドを含み、第１の伝送ブロックに対する新データ指示フィールドおよび第２の伝送ブロックに対する新データ指示フィールドをさらに含み、図３に示すステップＳ３０３に対応する第６のユニット５３と
を含み、
ここで、決定されたアップリンク伝送方式で伝送ブロック無効化機能が採用されると、２つの伝送ブロックの少なくとも１つの無効化は、たとえば二進数の３０など、プリコーディング行列指示フィールドの第１の値によって表され、２つの伝送ブロックの無効化された伝送ブロックは、第１の伝送ブロックに対する新データ指示フィールドおよび第２の伝送ブロックに対する新データ指示フィールドの組み合わせによって表され、
ダウンリンク制御情報は、ＴＢコードワード・マッピング指示フィールド、および２つの伝送ブロックの変調符号化モードのそれぞれの冗長バージョン・フィールドをさらに含み、ここで、ＴＢコードワード・マッピング指示フィールドおよび無効化された伝送ブロックの変調符号化モードの冗長バージョン・フィールドは、無効化されることなく伝送ブロックによってマッピングされるチャネル符号化コードワードのプリコーディング行列を協力的に表し、
マルチ・アンテナＵＥに生成されるダウンリンク制御情報を伝送するための第２の伝送デバイス５４であって、図３に示すステップＳ３０４に対応する第２の伝送デバイス５４と
を含む。
【００７２】
さらに、決定されたアップリンク伝送方式で１コードワード再伝送が使用される場合、両方の伝送ブロックの１つの伝送ブロックの１コードワード再伝送は、たとえば二進数の３１など、プリコーディング行列指示フィールドの第２の値によって表され、両方の伝送ブロックのうち、そこで１コードワード再伝送が実施された伝送ブロックは、第１の伝送ブロックに対する新データ指示フィールドおよび第２の伝送ブロックに対する新データ指示フィールドによって形成された組み合わせによって表され、
ここで、１コードワード再伝送が実施されていない、ＴＢコードワード・マッピング指示フィールドおよび伝送ブロックの変調符号化モードの冗長バージョン・フィールドは、１コードワード再伝送のために伝送ブロックによってマッピングされるチャネル符号化コードワードのプリコーディング行列を協力的に表す。
【００７３】
本発明は、上記の代表的な実施形態の詳細に限定されるものではなく、本発明は、本発明の基本的な特徴または精神から逸脱することなく、他の特定の形態で実行できることは当業者には自明である。したがって、いずれにせよ、実施形態は、例を示すものであり限定するものではないと考えられるべきであり、本発明の範囲は、上記の記述ではなく添付された特許請求の範囲によって定義されるものであるため、特許請求の範囲の等価物の意味および範囲に該当するすべての変形形態は、本発明の範囲内に入るものと解釈されることを意図するものである。特許請求の範囲における図の参照番号は、関連する請求項（複数可）に対する限定として解釈するべきではない。さらに、明らかに、「含む（ｃｏｍｐｒｉｓｅ）」という言葉は、他のユニットの存在を排除するものではなく、単数形で示している場合は、複数形を排除するものではない。「第１（ｆｉｒｓｔ）」、「第２（ｓｅｃｏｎｄ）」のような言葉は、特定の順序を示すものではなく、単に名前を表すために使用している。
【図１】
0005599508.tif 000008
【図２】
0005599508.tif 000009
【図３】
0005599508.tif 000010
【図４】
0005599508.tif 000011
【図５】
0005599508.tif 000012